(57)【要約】【課題】簡単な構成で熱交換器の腐食を防止し、凝縮器の高性能化とドレン水処理の能力向上を実現し、ドレン配管を不要とし、省エネルギーで設置自由度の容易化への対応が可能な換気一体型空気調和機を提供する。【解決手段】圧縮機と凝縮器及び蒸発器等を連接した冷凍サイクルを設け、給排気する送風機と、多孔吸水材で構成された放湿部材を冷房運転時に凝縮器となる風上側に設置し、冷房運転時に蒸発器で凝縮したドレン水を前記放湿部材の上部に導入するようにしたことを特徴とするものである。【選択図】図１
2010197027.tif 000002
【特許請求の範囲】
【請求項１】
圧縮機と凝縮器及び蒸発器等を連接した冷凍サイクルを設け、給排気する送風機と、多孔吸水材で構成された放湿部材を冷房運転時に凝縮器となる風上側に設置し、冷房運転時に蒸発器で凝縮したドレン水を前記放湿部材の上部に導入するようにしたことを特徴とする換気一体型空気調和機。
【請求項２】
圧縮機と凝縮器及び蒸発器等を連接した冷凍サイクルを設け、給排気する送風機と、多孔吸水材で構成された第１放湿部材と第２放湿部材を備え、第１放湿部材を冷房運転時に凝縮器の風上側に設置し、第２放湿部材を冷房運転時に凝縮器の風下側に設置するとともに、冷房運転時に蒸発器で凝縮したドレン水を前記第１放湿部材に導入し、ドレン水位が所定値以上になれば、ドレン水を前記第２放湿部材の上部に導入するようにしたことを特徴とする換気一体型空気調和機。
【請求項３】
圧縮機と凝縮器及び蒸発器等を連接した冷凍サイクルを設け、給排気する送風機と、多孔吸水材で構成された第１放湿部材と第２放湿部材を備え、冷房運転時に凝縮器となる風上側に第１放湿部材を設置し、暖房運転時に凝縮器となる風下側に前記第２放湿部材を設置し、冷房運転時に蒸発器で凝縮したドレン水を前記第１放湿部材の上部に導入するとともに、暖房運転時に蒸発器で凝縮したドレン水を前記第２放湿部材の上部に導入するようにしたことを特徴とする換気一体型空気調和機。
【請求項４】
圧縮機と凝縮器及び蒸発器等を連接した冷凍サイクルを設け、給排気する送風機と、多孔吸水材で構成された第１放湿部材と第２放湿部材及び第３放湿部材を備え、冷房運転時に凝縮器となる風上側に第１放湿部材と風下側に第２放湿部材を設置し、暖房運転時に凝縮器となる風下側に前記第３放湿部材を設置し、冷房運転時に蒸発器で凝縮したドレン水を前記第１放湿部材の上部に導入し、ドレン水の水位が所定値以上になれば、ドレン水を前記第２放湿部材の上部に導入するとともに、暖房運転時に蒸発器で凝縮したドレン水を前記第３放湿部材の上部に導入するようにしたことを特徴とする換気一体型空気調和機。
【請求項５】
前記放湿部材の下部が凝縮器及び蒸発器のドレンパン上に位置するとともに前記放湿部材の上部は前記凝縮器及び蒸発器の上部近傍に位置し、蒸発器で凝縮したドレン水を前記放湿部材の上部に導入するようにしたことを特徴とする請求項１から請求４に記載する換気一体型空気調和機。
【請求項６】
前記放湿部材に植毛部材を使用したことを特徴とする請求項１から請求６に記載する換気一体型空気調和機。
【請求項７】
前記放湿部材に抗菌特性を有することを特徴とする請求項１から請求７に記載する換気一体型空気調和機。
【発明の詳細な説明】
【技術分野】
【０００１】本発明は換気一体型空気調和機に係り、詳しくは簡単な構成で熱交換器の腐食を防止しながら凝縮器の高性能化とドレン水処理の能力向上を実現し、ドレン配管を不要とし、省エネルギーで設置自由度の容易化できる換気一体型空気調和機に関するものである。
【背景技術】
【０００２】従来から換気一体型空気調和機のドレン配管を不要とするために、ドレン水処理方法として、凝縮器に滴下させる方法があり、特許文献１に示される構成が提案されている。すなわち図６に示すように、凝縮器１０１の上部に滴下皿１０２を設け、蒸発器１０３で凝縮したドレン水を滴下皿１０２にポンプ１０４で送水し、滴下皿１０２のドレン水を凝縮器１０１に適宜給水するように吸水部材１０５が設けられている。【０００３】しかし、上記特許文献１の構成の換気一体型空気調和機では、ドレン水による凝縮器の腐食が促進されるとともに、凝縮器の能力向上がドレン水付着部のみで少なく、ドレン水の処理能力も少なく、滴下時に水飛びが発生する課題があった。【０００４】また、凝縮器の風下側に多孔質の吸水性部材で構成された吸水体をドレンパン上に設け、凝縮器用送風機からの送風で外部に放出する方法があり、特許文献２に示される構成が提案されている。すなわち図７に示すように、凝縮器２０１の風下側に吸水体２０２を設け、蒸発器２０３で凝縮したドレン水を受ける第２ドレンパン２０４に設けた滴下孔２０５から、前記吸水体２０２へ滴下させて吸水させ、凝縮器２０１で過熱された暖気で蒸発し、外部に排出している。【０００５】しかし、上記特許文献２の構成の換気一体型空気調和機では、凝縮器の風下側に設置のため凝縮器の能力向上ができず、省エネルギーにならない課題があった。
【先行技術文献】
【０００６】
【特許文献１】特開平７−２２５０３３号公報
【特許文献２】特開２００７−３２７６６６号公報
【発明の概要】
【発明が解決しようとする課題】
【０００７】本発明は、上記従来の課題を解決するもので、簡単な構成で凝縮器の能力向上とドレン処理能力の向上を実現し、省エネルギーでドレン配管を不要として設置自由度の容易化できる換気一体型空気調和機を提供することを目的とするものである。
【課題を解決するための手段】
【０００８】本発明は上記目的を達成するために、次のような課題解決手段を備えている。
（１）請求項１の発明
この発明の課題解決手段は、圧縮機と凝縮器及び蒸発器等を連接した冷凍サイクルを設け、給排気する送風機と、多孔吸水材で構成された放湿部材を冷房運転時に凝縮器となる風上側に設置し、冷房運転時に蒸発器で凝縮したドレン水を前記放湿部材の上部に導入するようにしたことを特徴とする換気一体型空気調和機である。
上記手段によれば、室内からの排気空気が凝縮器を通過する風上側に放湿部材があり、前記排気空気が放湿部材を通過することによって、排気空気の温度が低下するとともに湿度が上昇し、凝縮器を通過する場合の凝縮器の放熱能力が向上するものである。【０００９】（２）請求項２の発明
この発明の課題解決手段は、圧縮機と凝縮器及び蒸発器等を連接した冷凍サイクルを設け、給排気する送風機と、多孔吸水材で構成された第１放湿部材と第２放湿部材を備え、第１放湿部材を冷房運転時に凝縮器の風上側に設置し、第２放湿部材を冷房運転時に凝縮器の風下側に設置するとともに、冷房運転時に蒸発器で凝縮したドレン水を前記第１放湿部材に導入し、ドレン水位が所定値以上になれば、ドレン水を前記第２放湿部材の上部に導入するようにしたことを特徴とする換気一体型空気調和機である。
上記手段によれば、室内からの排気空気が凝縮器を通過する風上側に第１放湿部材と風下側に第２放湿部材があり、前記排気空気が第１放湿部材を通過することによって、排気空気の温度が低下するとともに湿度が上昇し、凝縮器を通過する場合の凝縮器の放熱能力が向上するものである。また、ドレン水が非常に多く第１放湿部材で処理できなくても、凝縮器を通過した排気空気は温度が上昇し湿度も低下しているので、第２放湿部材での処理能力が上昇し、ドレン水の処理能力が大幅に向上できるものである。【００１０】（３）請求項３の発明
この発明の課題解決手段は、圧縮機と凝縮器及び蒸発器等を連接した冷凍サイクルを設け、給排気する送風機と、多孔吸水材で構成された第１放湿部材と第２放湿部材を備え、冷房運転時に凝縮器となる風上側に第１放湿部材を設置し、暖房運転時に凝縮器となる風下側に前記第２放湿部材を設置し、冷房運転時に蒸発器で凝縮したドレン水を前記第１放湿部材の上部に導入するとともに、暖房運転時に蒸発器で凝縮したドレン水を前記第２放湿部材の上部に導入するようにしたことを特徴とする換気一体型空気調和機である。
上記手段によれば、冷房運転時には室内からの排気空気が凝縮器を通過する風上側に放湿部材があり、前記排気空気が第１放湿部材を通過することによって、排気空気の温度が低下するとともに湿度が上昇し、凝縮器を通過する場合の凝縮器の放熱能力が向上するものである。また、暖房運転時には蒸発器で凝縮したドレン水を凝縮器の風下側に設置した第２放湿部材で放湿することによって、ドレン水を処理できるとともに室内機への給気空気の湿度を向上できるものである。【００１１】（４）請求項４の発明
この発明の課題解決手段は、圧縮機と凝縮器及び蒸発器等を連接した冷凍サイクルを設け、給排気する送風機と、多孔吸水材で構成された第１放湿部材と第２放湿部材及び第３放湿部材を備え、冷房運転時に凝縮器となる風上側に第１放湿部材と風下側に第２放湿部材を設置し、暖房運転時に凝縮器となる風下側に前記第３放湿部材を設置し、冷房運転時に蒸発器で凝縮したドレン水を前記第１放湿部材の上部に導入し、ドレン水の水位が所定値以上になれば、ドレン水を前記第２放湿部材の上部に導入するとともに、暖房運転時に蒸発器で凝縮したドレン水を前記第３放湿部材の上部に導入するようにしたことを特徴とする換気一体型空気調和機である。
上記手段によれば、室内からの排気空気が凝縮器を通過する風上側に第１放湿部材と風下側に第２放湿部材があり、前記排気空気が第１放湿部材を通過することによって、排気空気の温度が低下するとともに湿度が上昇し、凝縮器を通過する場合の凝縮器の放熱能力が向上するものである。また、ドレン水が非常に多く第１放湿部材で処理できなくても、凝縮器を通過した排気空気は温度が上昇し湿度も低下しているので、第２放湿部材での処理能力が上昇し、ドレン水の処理能力が大幅に向上できるものである。
また、暖房運転時には蒸発器で凝縮したドレン水を凝縮器の風下側に設置した第３放湿部材で放湿することによって、ドレン水を処理できるとともに室内機への給気空気の湿度を向上できるものである。【００１２】（５）請求項５の発明
この発明の課題解決手段は、複前記放湿部材の下部が凝縮器及び蒸発器のドレンパン上に位置するとともに前記放湿部材の上部は前記凝縮器及び蒸発器の上部近傍に位置し、蒸発器で凝縮したドレン水を前記放湿部材の上部に導入するようにしたことを特徴とする請求項１から請求４に記載する換気一体型空気調和機である。
上記手段によれば、各放湿部材の下部からもドレン水が吸水され、さらの放湿能力が向上するものである。【００１３】（６）請求項６の発明
この発明の課題解決手段は、前記放湿部材に植毛線材を使用したことを特徴とする請求項１から請求６に記載する換気一体型空気調和機である。
上記手段によれば、加工が容易であり、空気抵抗の少ない放湿能力の向上が可能となるものである。【００１４】（７）請求項７の発明
この発明の課題解決手段は、前記放湿部材に抗菌特性を有することを特徴とする請求項１から請求７に記載する換気一体型空気調和機である。
上記手段によれば、放湿部材への菌の付着増殖が防止できるものである。
【発明の効果】
【００１５】以上の結果、本願発明によると、簡単な構成で熱交換器の腐食を防止し凝縮器の高性能化とドレン水処理の能力向上を実現し、ドレン配管を不要とし、設置自由度の容易化できる換気一体型空気調和機とすることができるものである。
特に、第１の発明では、簡単な構成で冷房運転時の凝縮器の腐食を防止し、凝縮能力を向上できるとともに、ドレン水の処理ができる効果がある。
また、第２の発明では、簡単な構成で冷房運転時の凝縮器の腐食を防止し、凝縮能力を向上するとともに、ドレン水の処理能力を大きくできる効果がある。
また、第３の発明では、簡単な構成で冷房運転時の凝縮器の腐食を防止し、凝縮能力を向上でき、ドレン水の処理ができるとともに、暖房運転時の加湿とドレン水処理ができる効果がある。
また、第４の発明では、簡単な構成で冷房運転時の凝縮器の腐食を防止し、凝縮能力を向上し、ドレン水の処理能力を大きくできるとともに、暖房運転時の加湿とドレン水処理ができる効果がある。
また、第５の発明では、簡単な構成で冷房運転時の凝縮器の腐食を防止し、凝縮能力を向上でき、ドレン水の処理が更に大きく早くできるとともに、暖房運転時の加湿とドレン水処理が更に大きく早くできる効果がある。
第６の発明では、放湿部材に植毛処理をしているので、吸水能力が大きく、吸水速度を早くできる効果がある。
また、第７の発明では、放湿部材に抗菌処理をしているので、菌の付着と繁殖が少なくできる効果がある。
【図面の簡単な説明】
【００１６】
【図１】実施形態１に係る換気一体型空気調和機の模式断面図
【図２】実施形態２に係る換気一体型空気調和機の模式断面図
【図３】実施形態３に係る換気一体型空気調和機の模式断面図
【図４】実施形態４の係る換気一体型空気調和機の模式断面図
【図５】実施形態５に係る換気一体型空気調和機の模式断面図
【図６】従来のドレン水処理の模式断面図
【図７】従来のドレン水処理の模式断面図
【発明を実施するための形態】
【００１７】以下、本発明の実施形態を図面に基づいて詳細に説明する。
（発明の実施形態１）
本発明の実施形態１について説明する。
本実施形態１の換気一体型空気調和機は図１に示すように、圧縮機１、冷房運転時に凝縮器となり暖房運転時に蒸発器となる第１熱交換器２、冷房運転時に蒸発器となり暖房運転時に凝縮器となる第２熱交換器３及び必要な部品（詳細は省略）を連接し通常の冷凍サイクルを形成している。また、室内からの排気空気を全熱交換器４と前記第１熱交換器２を通過して室外へ送風する第１送風機５と、室外からの給気空気を全熱交換器４と前記第２熱交換器３を通過して室内へ送風する第２送風機６と、前記第１熱交換器２への送風時に通過する放湿部材７を前記第１熱交換器２の通過面積と略同一面積で風上側に設けている。
第１熱交換器２と放湿部材７の下部には第１ドレンパン８、第２熱交換器３の下部には第２ドレンパン９が設置され、第２ドレンパン９には溜まったドレン水を送水するポンプ１０が設置されている。また、前記放湿部材７の上部には放湿部材７へドレン水を落下させる複数の孔を有する落水部１１が設置され、ポンプ１０と連通している。
このように構成されていると、冷房運転時に第２熱交換器３で凝縮したドレン水は、第２ドレンパン９に溜まり、ポンプ１０によって落水部１１に送水され、放湿部材７の上部から落水吸水され通過空気へ放湿して通過空気を冷却してから第１熱交換器２と熱交換することで、凝縮能力が向上し冷凍サイクルの効率が向上するとともに、ドレン水を排気空気で排出できることになる。
【００１８】（発明の実施形態２）
本発明の実施形態２について説明する。
本実施形態２の換気一体型空気調和機は図２に示すように、上記実施形態１の発明の構成において、前記第１熱交換器２の風上側に第１放湿部材７と風下側に第２放湿部材１２を設け、第２放湿部材１２の上部には第２放湿部材１２へドレン水を落下させる複数の孔を有する落水部１３が設置され、前記第１ドレンパン８に設置したポンプ１４と連通している。
このように構成されていると、上記実施形態１の効果に加えて、第２熱交換器３で凝縮したドレン水が多くて第１放湿部材７で放湿できなかったドレン水もポンプ１４で第２放湿部材１２へ送水し、第１熱交換器２を通過し温度が上昇し放湿効果の大きな空気で、放湿できるものである。
なお、前記ポンプ１０から第２ドレンパン９の所定値水位で作動する電磁弁を介して、落水部１３と連通してもよい。
【００１９】（発明の実施形態３）
本発明の実施形態３について説明する。
本実施形態３の換気一体型空気調和機は図３に示すように、上記実施形態１の発明の構成において、前記第２熱交換器３の風下側に第３放湿部材１５を設け、第３放湿部材１５の上部には第３放湿部材１５へドレン水を落下させる複数の孔を有する落水部１６が設置され、前記第１ドレンパン８に設置したポンプ１７と連通している。
このように構成されていると、上記実施形態１の効果に加えて、暖房運転時に第１熱交換器２で凝縮したドレン水を第３放湿部材１５で放湿し、暖房運転時に湿度が低下する室内への加湿に活用できるものである。
なお、落水部１６へ加湿用吸水を導入してもよいのは言うまでもない。
【００２０】（発明の実施形態４）
本発明の実施形態４について説明する。
本実施形態４の換気一体型空気調和機は図４に示すように、本実施形態２の発明の構成において、前記第２熱交換器３の風下側に第３放湿部材１５を設け、第３放湿部材１５の上部には第３放湿部材１５へドレン水を落下させる複数の孔を有する落水部１６が設置され、前記第１ドレンパン８に設置したポンプ１７と連通している。
このように構成されていると、上記実施形態２の効果に加えて、暖房運転時に第１熱交換器２で凝縮したドレン水を第３放湿部材１５で放湿し、暖房運転時に湿度が低下する室内への加湿に活用できるものである。
なお、落水部１６へ加湿用吸水を導入してもよいのは言うまでもない。また、ポンプ１４とポンプ１７を共用し冷房運転時には落水部１３に送水し、暖房運転時には落水部１６に送水するように電磁弁で切り替えても良い。
【００２１】（発明の実施形態５）
本発明の実施形態５について説明する。
本実施形態５の換気一体型空気調和機は図５に示すように、上記実施形態１から４の構成において、放湿部材の下部がドレンパン上部に略接触し、ドレンパンからの直接の吸水と落水部からの吸水を可能としている。このように構成されていると、上記実施形態１から４の効果に加えて、放湿能力と放湿速度の向上ができるものである。
【００２２】（発明の実施形態６）
本発明の実施形態６について説明する。
本実施形態６の換気一体型空気調和機は、放湿部材が植毛部材で形成されたことを特徴としている。上記手段によれば、上記実施形態１から５の効果に加えて、放湿能力と放湿速度の向上ができるものである。
【００２３】（発明の実施形態７）
本発明の実施形態７について説明する。
本実施形態７の換気一体型空気調和機は、放湿部材に抗菌処理をされたことを特徴としている。上記手段によれば、上記実施形態１から６の効果に加えて、菌の繁殖を防止でき、衛生的な運転ができるものである。
【産業上の利用可能性】
【００２４】以上説明したように、本発明は簡単な構成で熱交換器の腐食を防止し、凝縮器の高性能化とドレン水処理の能力向上を実現し、ドレン配管を不要とし、省エネルギーで設置自由度の容易化への対応が可能な換気一体型空気調和機に関し有用である。
【符号の説明】２  第１熱交換器
３  第２熱交換器
７、８  ドレンパン
９、１２、１５、１８  吸水部材
１０、１４、１７  ポンプ
１１、１３、１６  水落下部
【図１】
2010197027.tif 000003
【図２】
2010197027.tif 000004
【図３】
2010197027.tif 000005
【図４】
2010197027.tif 000006
【図５】
2010197027.tif 000007
【図６】
2010197027.tif 000008
【図７】
2010197027.tif 000009